(57)【特許請求の範囲】
【請求項１】
上面に開口を有する本体フレームと、
原稿載置面を構成する表面が上記開口に露出するように取り付けられたコンタクトガラス板と、
当該コンタクトガラス板の裏面と対向する筐体並びに当該筐体に取り付けられ且つ上記コンタクトガラス板の裏面と対向するように配置された光源及び上記筐体の長手方向に並設された複数の受光素子を有し、上記筐体の短手方向に移動可能な状態で上記本体フレーム内に設けられたコンタクトイメージセンサと、
上記筐体の長手方向の端部に設けられ、当該筐体の上面から下方に延びる垂直面及び当該垂直面に直交して上記長手方向外向きに延びる載置面を有するローラユニット保持部と、
当該ローラユニット保持部に収められ、上記コンタクトガラス板の裏面に当接して上記筐体の短手方向に転動し得る一対のローラが当該筐体の短手方向に並設されたローラーユニットとを有し、
当該ローラーユニットは、上記各ローラをそれぞれ回転自在に支持する一対の支持軸及び当該支持軸を支持するフレームを備え、当該フレームが上記垂直面及び載置面に位置決め保持されており、且つ
上記ローラユニット保持部の、上記短手方向の寸法は、上記筐体の、上記短手方向の寸法以下に設定されている画像読取装置。
【請求項２】
上記ローラユニット保持部は、上記フレームを上記筐体の長手方向に挟持する一対の垂直面を有する溝からなる請求項１に係る画像読取装置。
【請求項３】
上記一対のローラは、上記短手方向に沿う仮想直線上に配置されている請求項１又は２に記載の画像読取装置。
【請求項４】
上記支持軸は、上記フレームに両端支持されている請求項１から３のいずれかに記載の画像読取装置。
【発明の詳細な説明】
【技術分野】
【０００１】
本発明は、例えば、多機能装置（ＭＦＤ：Multi Function Device）等に採用される画像読取装置の構造に関するものである。
【背景技術】
【０００２】
複写機や複合機には、一般に原稿を画像データとして読み取るための画像読取装置が搭載されている。この画像読取装置は、ＣＣＤ（Charge Coupled Device） やＣＩＳ（Contact Image Sensor） 等のイメージセンサを備えており、このようなイメージセンサが原稿を走査することによって画像が読み取られる。
【０００３】
図９は、従来の画像読取装置の要部斜視図である。この画像読取装置１は、コンタクトイメージセンサ２を備えている。同図では示されていないが、この画像読取装置１は、箱状に形成された本体フレームを備えており、コンタクトイメージセンサ２は、その上面３が上方を向くように本体フレームの内部に配置されている。また、本体フレームの上面にコンタクトガラス板が設けられており、このコンタクトガラス板が原稿を載置する載置台を構成している。そして、コンタクトイメージセンサ２は、このコンタクトガラス板の直下に配置され、矢印４の方向に移動されつつ、上記コンタクトガラス板上に載置された原稿から画像を読み込む。このとき、コンタクトイメージセンサ２が長手方向に傾いたり、あるいは矢印４の方向に傾いてしまうと、コンタクトイメージセンサ２は、上記原稿が載置されているコンタクトガラス板に対して傾いてしまい、その結果、原稿から画像を正確に読み取ることができない。そのため、従来では、コンタクトイメージセンサ２の両端部に、円滑なスライドを支援するためのローラユニット５、６が配置されている（例えば、特許文献１〜特許文献３参照）。
【０００４】
図１０は、従来の画像読取装置の要部分解斜視図であって、上記ローラユニット５、６がコンタクトイメージセンサ２から分離された状態が示されている。ローラユニット５は、フレーム７と、このフレーム７の両端部に配置されたローラ８、９とを備えている。フレーム７は、２つの係合ピン１０を備えている。但し、図１０においては、図の角度の関係上、１つの係合ピン１０のみが記載されている。コンタクトイメージセンサ２は、その端部に２つの係合孔１１を備えている。この２つの係合孔１１に上記２つの係合ピン１０が嵌め込まれることによって、ローラユニット５がコンタクトイメージセンサ２の一方の端部に取り付けられる。上記ローラユニット６も上記ローラユニット５と同様の構成であり、フレーム１２と、ローラ８、９と、２つの係合ピンとを備えている。但し、図１０においては、図の角度の関係上、係合ピンは図示されていない。この２つの係合ピンがコンタクトイメージセンサ２の端部に設けられた２つの係合孔１３に嵌め込まれることにより、ローラユニット６がコンタクトイメージセンサ２の他方の端部に取り付けられている。
【０００５】
【特許文献１】特開２００４−２６６３１４公報
【特許文献２】特開平１１−９８３２２号公報
【特許文献３】特開平９−２６１４２４号公報
【発明の開示】
【発明が解決しようとする課題】
【０００６】
ところで、近年では、複写機や複合機の小型化が進められている。特に、フラットベッドタイプの画像読取装置を備えた複合機等では、図９において矢印４の方向の寸法が縮小されるために種々の改良が施されている。例えば、図１１は、従来の他の画像読取装置の要部分解斜視図であって、小型化のための改良が図示されている。すなわち、この画像読取装置では、コンタクトイメージセンサ１４にローラユニット１５、１６が取り付けられている。ローラユニット１５は、一対のローラ１７、１８を備えているが、ローラ１７とローラ１８とは、コンタクトイメージセンサ１４の長手方向に距離ｆだけずれている。ローラユニット１６も一対のローラ１７、１８を備えているが、これらローラ１７、１８も同様に、コンタクトイメージセンサ１４の長手方向に距離ｆだけずれている。このように、ローラユニット１５、１６に設けられた一対のローラ１７、１８が上記距離ｆだけ相対的にずらされることにより、コンタクトイメージセンサ１４の長手方向に直交する方向（同図における矢印４の方向）のローラ１７、１８間の距離が短くなる。したがって、当該画像読取装置の外形寸法も同方向に小さくなり、ひいては複合機全体の外形寸法が小さくなる。
【０００７】
しかしながら、ローラ１７、１８は、前述のようにコンタクトガラス板に当接して矢印４の方向に転動するものであるから、ローラ１７、１８が互いに上記距離ｆだけずれていれば、ローラユニット１５、１６とコンタクトガラス板との間、ローラユニット１５、１６とコンタクトイメージセンサ１４との間及びコンタクトイメージセンサ１４とコンタクトガラス板との間にがたつきが発生しやすい。そのため、コンタクトイメージセンサ１４が長手方向に傾いたり、あるいは矢印４の方向に傾きやすくなり、その結果、コンタクトイメージセンサ１４が原稿から画像を正確に読み取ることができなくなるおそれがある。
【０００８】
そこで、本発明の目的は、原稿から画像を正確に読み取ることができるコンタクトイメージセンサを備えたコンパクトな画像読取装置を提供することである。
【課題を解決するための手段】
【０００９】
(1) 上記目的が達成されるため、本発明に係る画像読取装置は、上面に開口を有する本体フレームと、原稿載置面を構成する表面が上記開口に露出するように取り付けられたコンタクトガラス板と、当該コンタクトガラス板の裏面と対向する筐体並びに当該筐体に取り付けられ且つ上記コンタクトガラス板の裏面と対向するように配置された光源及び上記筐体の長手方向に並設された複数の受光素子を有し、上記筐体の短手方向に移動可能な状態で上記本体フレーム内に設けられたコンタクトイメージセンサと、上記筐体の長手方向の端部に設けられ、当該筐体の上面から下方に延びる垂直面及び当該垂直面に直交して上記長手方向外向きに延びる載置面を有するローラユニット保持部と、当該ローラユニット保持部に収められ、上記コンタクトガラス板の裏面に当接して上記筐体の短手方向に転動し得る一対のローラが当該筐体の短手方向に並設されたローラーユニットとを有する。そして、当該ローラーユニットは、上記各ローラをそれぞれ回転自在に支持する一対の支持軸及び当該支持軸を支持するフレームを備え、当該フレームが上記垂直面及び載置面に位置決め保持されており、且つ上記ローラユニット保持部の、上記短手方向の寸法は、上記筐体の、上記短手方向の寸法以下に設定されている。
【００１０】
この構成によれば、コンタクトイメージセンサは、その短手方向に移動することによって原稿を走査する。コンタクトイメージセンサの長手方向の端部にローラユニットが設けられており、このローラユニットに設けられた一対のローラは、上記短手方向に並設され、且つコンタクトガラス板の裏面に当接している。したがって、コンタクトイメージセンサが移動するときは、その端部が上記ローラに支持された状態となり、コンタクトイメージセンサがコンタクトガラス板の裏面に対して傾くことが防止される。また、このローラユニットは、コンタクトイメージセンサの筐体の端部に設けられたローラユニット保持部に収められ、しかも、このローラユニット保持部の、上記短手方向寸法が、上記筐体の、上記短手方向寸法以下に設定されているから、ローラユニットが上記筐体から上記短手方向外向きに突出することはない。したがって、コンタクトイメージセンサの設計において、その短手方向の寸法が小さく抑えられる。
【００１１】
上記ローラユニットは、上記筐体の上面に載置されるのではなく、当該上面から下方に落とし込まれるようにして上記載置面上に配置される。したがって、このローラユニットは、上記ローラの頂部が上記筐体の上面から若干上方に突出するように上記筐体に配置され、これにより、コンタクトイメージセンサは、コンタクトガラス板にきわめて近接した状態で位置決めされる。また、上記載置面により、上記ローラユニットの上下方向の正確な位置決めが可能であり、さらに、上記垂直面により、上記ローラユニットの上記長手方向の正確な位置決めが可能である。加えて、ローラがフレームに支持されるから、ローラの取付精度が向上する。すなわち、コンタクトイメージセンサの筐体に対してローラが変位することなく、正確に位置決めされる。
【００１２】
(2) 上記ローラユニット保持部は、上記フレームを上記筐体の長手方向に挟持する一対の垂直面を有する溝から構成されていてもよい。この場合、上記ローラーユニットの上下方向及び上記長手方向のより正確な位置決めが実現される。
【００１３】
(3) 上記一対のローラは、上記短手方向に沿う仮想直線上に配置されているのが好ましい。この一対のローラが上記短手方向に沿う仮想直線上に配置されることにより、コンタクトイメージセンサが移動するときに、ローラユニットがコンタクトイメージセンサに対して相対的に傾くこと、ローラーユニットがコンタクトガラス板に対して相対的に傾くこと、及びコンタクトイメージセンサがコンタクトガラス板の裏面に対して相対的に傾くことが確実に防止される。
【００１４】
(4) 上記支持軸は、上記フレームに両端支持されているのが好ましい。これにより、ローラの取付精度がより向上する。
【発明の効果】
【００１５】
本発明によれば、ローラユニットがコンタクトイメージセンサの筐体内に収められ、当該筐体から当該筐体の短手方向に飛び出すことがないので、コンタクトイメージセンサがコンパクトに設計され、その結果、画像読取装置の小型化が図られる。また、上記ローラユニットが上記短手方向に並んだ一対のローラを備えているので、コンタクトイメージセンサが当該短手方向に移動する際に傾くことが防止される。したがって、コンタクトイメージセンサとコンタクトガラス板との距離が一定に保たれ、その結果、良好な画像の読み取りが実現される。
【発明を実施するための最良の形態】
【００１６】
以下、適宜図面が参照されつつ、好ましい実施形態に基づいて本発明が詳細に説明される。
【００１７】
図１は、本発明の一実施形態に係る画像読取装置３０の外観斜視図である。
【００１８】
この画像読取装置３０は、例えば、プリンタ機能とスキャナ機能とを一体的に備えた多機能装置（ＭＦＤ：Multi Function Device）のスキャナ部として、また、複写機の画像読取部として用いられ得る。ただし、本発明において、上記プリンタ機能は任意の機構であり、例えば、スキャナ機能のみを有するフラットベッドスキャナ（ＦＢＳ：Flatbed Scanner）として画像読取装置３０が構成されていてもよい。
【００１９】
同図が示すように、この画像読取装置３０は、ＦＢＳとして機能する読取載置台３１を備えており、この読取載置台３１に対して原稿押さえカバー３３が開閉自在に取り付けられている。この原稿押さえカバー３３は、オート・ドキュメント・フィーダ（ＡＤＦ：Auto Document Feeder）３２を備えている。読取載置台３１は、略直方体の本体フレーム３４と、本体フレーム３４の天面（上面）に設けられたコンタクトガラス板３５と、本体フレーム３４に内蔵された画像読取ユニット３６とを有する。原稿は、コンタクトガラス板３５上に載置される。原稿押さえカバー３３が閉じられると、原稿は、当該原稿押さえカバー３３によって固定される。そして、上記画像読取ユニット３６がコンタクトガラス板３５の下方を当該コンタクトガラス板３５に沿って移動することによって、上記原稿から画像を読み取るようになっている。
【００２０】
読取載置台３１の正面側には、操作パネル３７が設けられている。操作パネル３７は、各種操作ボタン及び液晶表示部を備える。画像読取装置３０は、操作パネル３７からの指示によって動作するようになっている。なお、画像読取装置３０がＭＦＤとして構成される場合には、画像読取装置３０にコンピュータが接続され得る。その場合、画像読取装置３０は、操作パネル３７からの指示のほか、このコンピュータからスキャナドライバ等を介して送信される指示によっても動作することが可能である。
【００２１】
前述のように、原稿押さえカバー３３は、原稿トレイから排紙トレイへ原稿を連続搬送するＡＤＦ３２を備えている。このＡＤＦ３２による搬送過程において、原稿がプラテン３８を通過し、このプラテン３８の下方において画像読取ユニット３６が当該原稿から画像を読み取るようになっている。ただし、本実施形態において、このＡＤＦ３２は省略されていてもよい。
【００２２】
図２は、読取載置台３１の平面図であって、この読取載置台３１の内部構造を示している。図３は、読取載置台３１の断面図である。
【００２３】
図１及び図３が示すように、読取載置台３１の本体フレーム３４は、上面が開放された容器状の下フレーム３９と、上面４０に開口４１を有する上カバー４２とを備えており、下フレーム３９の上に上カバー４２が嵌め合わされることにより、本体フレーム３４が構成されている。上記コンタクトガラス板３５は、上記開口４１に露出するように、上カバー４２に取り付けられている。
【００２４】
図２が示すように、下フレーム３９内に上記画像読取ユニット３６が配設されている。下フレーム３９及び上カバー４２は、共に合成樹脂からなる。下フレーム４２は、底板を構成するベース部４３と、このベース部４３の周囲から起立した側壁４４と、区画板４５とを有し、これらは一体的に形成されている。この区画板４５は、画像読取ユニット３６が配設される部分と、操作パネル３７の基板等が配設される部分とを区画する。なお、下フレーム３９は、コンタクトガラス板３５を支持するための支持リブや、各種部材をネジ止めするためのボス部、電気配線等のための貫通孔等を備えている。ただし、これらは読取載置台３１の実施態様に応じて適宜設計されるものであるから、その詳細な説明は省略される。
【００２５】
画像読取ユニット３６は、図２が示すように、ＣＩＳユニット５０（コンタクトイメージセンサ）、キャリッジ５１、ガイドシャフト５２、及びベルト駆動機構５３を備えている。画像読取ユニット３６は、同図では図示されていないローラユニット５８を備えている。ＣＩＳユニット５０は、いわゆる密着型のイメージセンサである。ＣＩＳユニット５０は、原稿に光を照射すると共にこの原稿からの反射光を受光し、受光した光を電気信号に変換する。ＣＩＳユニット５０は、後に詳述されるように、細長直方体状の筐体７０を備えており、この筐体７０がキャリッジ５１に嵌め込まれている。そして、このキャリッジ５１がコンタクトガラス板３５（図１参照）の下方を移動する。
【００２６】
具体的には、キャリッジ５１は、下フレーム３９の幅方向に渡って架設されたガイドシャフト５２に嵌合している。キャリッジ５１は、ベルト駆動機構５３により駆動されてガイドシャフト５２上を摺動して移動する。このキャリッジ５１は、上記ＣＩＳユニット５０を保持しつつ、コンタクトガラス板３５に密着させるように付勢する。キャリッジ５１を付勢する手段は、既知であって、後述される通りである。すなわち、キャリッジ５１に保持されたＣＩＳユニット５０は、コンタクトガラス板３５に沿って、その筐体７０の短手方向に移動される。ここで、上記「短手方向」とは、上記筐体７０の長手方向に直交し且つコンタクトガラス板３５の下面に沿う方向である。
【００２７】
図３が示すように、キャリッジ５１は、その上側に担持するようにして上記ＣＩＳユニット５０を搭載している。キャリッジ５１の下面には、ガイドシャフト５２を上方から跨ぐようにして嵌合するシャフト受け部５４が形成されている。このシャフト受け部５４とガイドシャフト５２とが嵌合しており、キャリッジ５１は、ガイドシャフト５２に担持された状態で当該ガイドシャフト５２の軸方向に摺動自在となっている。また、シャフト受け部５４の側方には、ベルト掴持部５５が下方へ突設されている。このベルト掴持部５５は、後述されるベルト駆動機構５３のタイミングベルト６１を掴む。これにより、このタイミングベルト６１とキャリッジ５１とが連結される。そして、ベルト駆動機構５３からキャリッジ５１に駆動力が伝達されることにより、キャリッジ５１は、ガイドシャフト５２上を移動する。
【００２８】
また、上記ＣＩＳユニット５０が搭載されるキャリッジ５１の内側に、バネ受け部５６が左右２箇所に形成されている。このバネ受け部５６は、コイルバネ５７を位置決めしつつ保持している。つまり、このコイルバネ５７は、ＣＩＳユニット５０とキャリッジ５１との間に介在されている。このコイルバネ５７により、キャリッジ５１がコンタクトガラス板３５側に付勢され、このキャリッジ５１に搭載されたＣＩＳユニット５０は、コンタクトガラス板３５の下面に押し付けられる。
【００２９】
ＣＩＳユニット５０の両端側には、上記ローラユニット５８が設けられている。このローラーユニット５８については、後に詳述される。前述のように、ＣＩＳユニット５０は、コンタクトガラス板３５の下面に押圧されながらキャリッジ５１の移動に伴ってコンタクトガラス板３５に沿って移動する。このローラーユニット５８は、ＣＩＳユニット５０の円滑な移動を支援するものである。
【００３０】
図４は、読取載置台３１の平面図であって、ベルト駆動機構５３の概略構成を示している。
【００３１】
ベルト駆動機構５３は、図４が示すように、駆動プーリ５９と、従動プーリ６０と、これらの間に巻き架けられたタイミングベルト６１と、図示されていないモータとを備えている。タイミングベルト６１は、内側に歯が形成された無端ベルトである。上記モータが駆動プーリ５９を回転させることにより、上記タイミングベルト６１が周運動するように構成されている。
【００３２】
同図が示すように、駆動プーリ５９は、下フレーム３９の左奥に配設されている。この駆動プーリ５９に巻き架けられたかれたタイミングベルト６１は、下フレーム３９の正面側へ延出し、ガイドシャフト５２の手前に配設された中間プーリ６２に巻き架けられている。さらに、このタイミングベルト６１は、略直角に曲折し、ガイドシャフト５２に沿って下フレーム３９の右端まで延出し、下フレーム３９の右端付近に配設された従動プーリ６０に巻き架けられている。すなわち、タイミングベルト６１は、同図が示すように、略Ｌ字状に架設されている。このように巻き架けられたタイミングベルト６１の従動プーリ６０から中間プーリ６２の間の部分、すなわちガイドシャフト５２に沿った部分は、上記キャリッジ５１のベルト掴持部５５によって掴まれており、これにより、タイミングベルト６１とキャリッジ５１とが連結されている。なお、タイミングベルト６１としては、無端ベルト以外に、ベルトの両端部がキャリッジ５１に固着された有端ベルトが採用されてもよいことは勿論である。
【００３３】
図５は、ＣＩＳユニット５０の拡大分解斜視図である。
【００３４】
ＣＩＳユニット５０は、上記筐体７０と、筐体７０に設けられた光源及び受光素子とを備えている。
【００３５】
筐体７０は、例えば合成樹脂からなり、同図が示すように細長直方体状に形成されている。この筐体７０は、上記光源及び受光素子を内蔵している。筐体７０の上面７４は、図３が示すように、コンタクトガラス板３５の裏面７５と対向している。したがって、上記光源及び受光素子もコンタクトガラス板３５の裏面７５と近接対向している。
【００３６】
上記光源は、典型的には、ＬＥＤ（Light Emitting Diode）及びライトガイド７３を備えている。このＬＥＤは、同図では図示されていないが、筐体７０の内奥部に配置されている。ライトガイド７３は、典型的には透明な合成樹脂からなり、筐体７０の長手方向全体に延びている。このライトガイド７３は、筐体７０の上面７４に露出しており、ＬＥＤから発せられた光は、ライトガイド７３によって筐体７０の長手方向全体に導かれる。これにより、ＬＥＤから発せられた光は、筐体７０の長手方向全体に略均等に分散され、原稿に照射される。
【００３７】
本実施形態では、筐体７０に複数の受光素子が設けられている。各受光素子は、筐体７０の内底部に当該筐体７０の長手方向に並設されている。各受光素子は、集光レンズ７２を備えている。これら集光レンズ７２は、筐体７０の上面７４に露出している。上記原稿に照射され反射された光は、各集光レンズ７２によって集光され、対応する各受光素子によって受光されるようになっている。これら受光素子は、光電変換素子であって、当該受光に基づいて電気信号を出力する。この電気信号が、原稿に表された画像の画像信号である。
【００３８】
筐体７０の長手方向の両端部にローラーユニット保持部７６、７７が設けられている。このローラーユニット保持部７６は、筐体７０の長手方向の角部に形成された段部から構成されている。具体的には、この段部は、垂直面７８と、これに連続する載置面７９とによって形成されている。垂直面７８は、筐体７０の上面７４から下方に延びる面である。載置面７９は、垂直面７８の下端に直交して、上記長手方向の外向きに延びる面である。
【００３９】
そして、上記ローラユニット５８は、この垂直面７８に沿って配置され且つ載置面７９上に載置される。この載置面７９は、上記ローラユニット５８を位置決め固定するための位置決め孔８０を有している。ローラーユニット５８は、後述される係合ピン８１が位置決め孔８０に嵌合することにより、当該ローラユニット保持部７６に位置決め固定される。また、ローラーユニット保持部７６の短手方向の寸法Ｗ１は、所定寸法に設定されている。この寸法Ｗ１は、ＣＩＳユニット５０の仕様により種々設計変更がなされるが、筐体７０の短手方向の寸法Ｗ２以下となるように設定されている。なお、ローラーユニット保持部７７は、ローラーユニット保持部７６と同様の構成であるから、その説明は省略される。
【００４０】
図６は、ローラーユニット５８の斜視図である。
【００４１】
このローラーユニット５８は、フレーム８２と、一対のローラ８３、８４とを備えている。フレーム８２は、上記ローラ８３、８４を支持するブロックとして構成されている。フレーム８２は、上記長手方向に対向する一対の側板８５、８６及びこれらを連結する一対の連結板８７を備えており、これらは、例えば合成樹脂により一体的に形成され得る。一対の側板８５、８６が設けられることにより、両側板８５、８６間にローラ収容部９０、９１が形成されている。各ローラ収容部９０、９１に上記ローラ８３、８４が収容されている。このフレーム８２は、同図では図示されていないが、底板を備えており、この底板の下面に上記係合ピン８１が突設されている。また、上記側板８５、８６に軸受部８８、８９が設けられている。この軸受部８８、８９は、各側板８５、８６に設けられた切欠凹部からなり、ローラ８３、８４に設けられた支持軸９２、９３を回転自在に支持している。
【００４２】
ローラ８３は、円盤状を呈し、上記支持軸９２を備えている。この支持軸９２は、ローラ８３の中心に設けられ、上記長手方向に延びている。この支持軸９２の両端部が上記側板８５、８６の軸受部８８に嵌合支持されており、これにより、ローラ８３は、上記ローラ収容部９０内に回転自在な状態で配置されている。なお、ローラ８４は、ローラ８３と同様の構成であるから、その説明は省略される。また、ローラ８３と、ローラ８４とは、仮想直線９４上に配置されている。この仮想直線９４は、上記短手方向に沿って仮想的に設定される直線である。すなわち、一対のローラ８３、８４は、一直線上に配置されており、上記長手方向にずれていない。もっとも、一対のローラ８３、８４が、上記長手方向にずれていてもよいことは勿論である。
【００４３】
図７は、ＣＩＳユニット５０の拡大斜視図である。
【００４４】
一対のローラ８３、８４がフレーム８２に支持された状態で（図６参照）、前述のように、フレーム８２の係合ピン８１が上記位置決め孔８０に嵌め込まれる。これにより、ローラユニット５８は、図７が示すように、筐体７０に位置決め固定される。この状態で、図３が示すように、ローラユニット５８のローラ８３、８４は、上記コンタクトガラス板３５の裏面７５に当接する。そして、各ローラ８３、８４は、上記支持軸９２、９３を中心に回転することにより、上記コンタクトガラス板３５の裏面７５を転動する。
【００４５】
本実施形態に係る画像読取装置３０では、図１が示すように、コンタクトガラス板３５の表面９５は、原稿が載置される原稿載置面を構成する。原稿は、コンタクトガラス板３５の表面９５に下向きに載せられる。そして、図１及び図３が示すように、画像読取ユニット３６のＣＩＳユニット５０が上記短手方向に移動することによって、当該原稿が走査される。
【００４６】
ＣＩＳユニット５０の長手方向の端部にローラユニット５８が設けられており（図７参照）、このローラユニット５８に設けられたローラ８３、８４は、上記短手方向に並設された状態でコンタクトガラス板３５の裏面７５に当接している。したがって、ＣＩＳユニット５０は、その端部が上記ローラ８３、８４に支持された状態で移動し、そのため、ＣＩＳユニット５０がコンタクトガラス板３５の裏面７５に対して傾くことなく、円滑に移動する。また、このローラユニット５８は、ＣＩＳユニット５０の筐体７０に設けられたローラユニット保持部７６、７７に収められており、しかも、図５及び図７が示すように、このローラユニット保持部７６、７７の短手方向の寸法Ｗ１は、筐体７０の短手方向の寸法Ｗ２以下に設定されている。したがって、ローラユニット５８が上記筐体７０から上記短手方向外向きに突出することはなく、その結果、ＣＩＳユニット５０の設計において、その短手方向の寸法が小さく抑えられる。
【００４７】
このように、ＣＩＳユニット５０が上記短手方向にコンパクトに設計されるから、画像読取装置３０の小型化も実現される。また、上記ローラユニット５８が上記ローラ８３、８４を備えているので、ＣＩＳユニット５０が移動する際に傾くことが防止され、ＣＩＳユニット５０とコンタクトガラス板３５との距離が一定に保たれる。その結果、良好な画像の読み取りが実現される。
【００４８】
特に、本実施形態では、上記一対のローラ８３、８４は、上記仮想直線９４上に配置されている。すなわち、各ローラ８３、８４は、上記短手方向に並設されている。したがって、ＣＩＳユニット５０が移動するときに、一対のローラ８３、８４がＣＩＳユニット５０に対して相対的に傾くことが確実に防止されるという利点がある。また、一対のローラ８３、８４がコンタクトガラス板３５の裏面７５に対して相対的に傾くこと、及びＣＩＳユニット５０がコンタクトガラス板３５の裏面７５に対して相対的に傾くことが確実に防止されるという利点がある。
【００４９】
また、本実施形態では、ローラユニット５８は、上記段部（図５参照）から構成されるローラユニット保持部７６、７７に収められている。そして、ローラユニット５８は、従来のように、筐体７０の上面７４に載置されるのではなく、当該上面７４から下方に落とし込まれるようにして上記段部を構成する載置面７９に載置される。したがって、ローラユニット５８は、ローラ８３、８４の頂部が筐体７０の上面７４から若干上方に突出するように当該筐体７０に配置される。これにより、ＣＩＳユニット５０は、コンタクトガラス板３５の裏面７５にきわめて近接した状態で位置決めされ、その結果、ＣＩＳユニット５０は、上記原稿から画像を正確に読み取ることができる。加えて、ＣＩＳユニット５０は、上記載置面７９に載置されることから、ローラユニット５８の上下方向のより正確な位置決めが可能である。さらに、上記段部を構成する垂直面７８にＣＩＳユニット５０が沿わされることにより、上記ローラユニット５８は、上記長手方向により正確に位置決めされ得るという利点がある。
【００５０】
また、本実施形態では、図６が示すように、上記ローラ８３、８４は、支持軸９２、９３を介してフレーム８２に支持されているから、ローラ８３、８４の上記筐体７０に対する取付精度が向上する。すなわち、この筐体７０に対してローラ８３、８４が変位することなく、正確に位置決めされる。しかも、上記支持軸９２、９３は、フレーム８２によって両端支持されているから、ローラ８３、８４の上記筐体７０の取付精度がより向上する。その結果、ＣＩＳユニット５０が移動するときに、コンタクトガラス板３５の裏面７５に対して傾くことが一層確実に防止され、より正確な画像の読み込みが実現される。
【００５１】
図８は、本実施形態の変形例に係るＣＩＳユニット１００の斜視図である。
【００５２】
本変形例に係るＣＩＳユニット１００が上記実施形態に係るＣＩＳユニット５０と異なるところは、上記ＣＩＳユニット５０では、筐体７０の長手方向端部に段部からなるローラユニット保持部７６、７７が形成されていたのに対し、本変形例では、筐体７０に溝１０１が設けられ、この溝１０１にローラユニット５８が嵌め込まれている点である。すなわち、この溝１０１によってローラユニット保持部が構成されている。なお、その他の構成については、上記ＣＩＳユニット５０と同様である。
【００５３】
本変形例においても、ＣＩＳユニット１００の長手方向の端部にローラユニット５８が設けられており、このローラユニット５８に設けられたローラ８３、８４は、上記短手方向に並設された状態でコンタクトガラス板３５の裏面７５に当接する。したがって、ＣＩＳユニット１００は、その端部が上記ローラ８３、８４に支持された状態で移動し、そのため、ＣＩＳユニット１００は、コンタクトガラス板３５の裏面７５に対して、あるいはローラユニット５８に対して傾くことがない。また、ローラーユニット５８がコンタクトガラス板３５の裏面７５に対して傾くこともなく、ＣＩＳユニット１００は、円滑に移動することができる。さらに、このローラユニット５８は、ＣＩＳユニット１００の筐体７０に設けられた、溝１０１（ローラユニット保持部）に収められており、しかも、溝１０１の短手方向の寸法Ｗ１は、筐体７０の短手方向の寸法Ｗ２以下に設定されている。したがって、ローラユニット５８が上記筐体７０から上記短手方向外向きに突出することはなく、その結果、ＣＩＳユニット１００の設計において、その短手方向の寸法が小さく抑えられる。
【００５４】
本変形例に係るＣＩＳユニット１００も上記実施形態に係るＣＩＳユニット５０と同様に上記短手方向にコンパクトに設計されるから、画像読取装置３０の小型化が実現される。また、上記ローラユニット５８が上記ローラ８３、８４を備えていることから、ＣＩＳユニット１００が移動する際に傾くことが防止され、ＣＩＳユニット１００とコンタクトガラス板３５との距離が一定に保たれる。その結果、良好な画像の読み取りが実現される。
【００５５】
なお、本変形例でも、上記一対のローラ８３、８４が上記仮想直線９４上に配置されていることから、各ローラ８３、８４が上記短手方向に並設され、したがって、ＣＩＳユニット１００は、移動する際にコンタクトガラス板３５の裏面７５に対して傾くことが確実に防止されるという利点がある。
【００５６】
また、本変形例では、ローラユニット５８が上記溝１０１に嵌め込まれるから、ローラユニット５８は、ローラ８３、８４の頂部が筐体７０の上面７４から若干上方に突出するように当該筐体７０に配置される。これにより、ＣＩＳユニット１００は、コンタクトガラス板３５の裏面７５にきわめて近接した状態で位置決めされ、その結果、ＣＩＳユニット１００は、上記原稿から画像を正確に読み取ることができる。特に、ローラユニット５８は、上記溝１０１に嵌め込まれるから、上下方向及び上記長手方向のより正確な位置決めが可能である。
【産業上の利用可能性】
【００５７】
本発明は、複写機や複合機等に採用される画像読取装置に適用され得る。
【図面の簡単な説明】
【００５８】
【図１】図１は、本発明の一実施形態に係る画像読取装置の外観斜視図である。
【図２】図２は、本発明の一実施形態に係る画像読取装置の読取載置台の平面図である。
【図３】図３は、本発明の一実施形態に係る画像読取装置の読取載置台の断面図である。
【図４】図４は、本発明の一実施形態に係る画像読取装置の読取載置台の平面図であって、ベルト駆動機構の構造を示している。
【図５】図５は、本発明の一実施形態に係る画像読取装置のＣＩＳユニットの拡大分解斜視図である。
【図６】図６は、本発明の一実施形態に係る画像読取装置のローラーユニットの斜視図である。
【図７】図７は、本発明の一実施形態に係る画像読取装置のＣＩＳユニットの拡大斜視図である。
【図８】図８は、本発明の一実施形態の変形例に係るＣＩＳユニットの拡大斜視図である。
【図９】図９は、従来の画像読取装置の要部斜視図である。
【図１０】図１０は、従来の画像読取装置の要部分解斜視図である。
【図１１】図１１は、従来の他の画像読取装置の要部分解斜視図である。
【符号の説明】
【００５９】
３０・・・画像読取装置
３１・・・読取載置台
３４・・・本体フレーム
３５・・・コンタクトガラス板
３６・・・画像読取ユニット
３９・・・下フレーム
４０・・・上面
４１・・・開口
４２・・・上カバー
５０・・・ＣＩＳユニット
５１・・・キャリッジ
５２・・・ガイドシャフト
５３・・・ベルト駆動機構
５４・・・シャフト受け部
５６・・・バネ受け部
５８・・・ローラユニット
７０・・・筐体
７２・・・受光素子
７３・・・ライトガイド
７４・・・筐体の上面
７５・・・コンタクトガラス板の裏面
７６・・・ローラユニット保持部
７７・・・ローラユニット保持部
７８・・・垂直面
７９・・・載置面
８０・・・位置決め孔
８１・・・係合ピン
８２・・・フレーム
８３・・・ローラ
８４・・・ローラ
８５・・・側板
８６・・・側板
８８・・・軸受部
８９・・・軸受部
９２・・・支持軸
９３・・・支持軸
９４・・・仮想直線
９５・・・コンタクトガラス板の表面
１００・・・ＣＩＳユニット
１０１・・・溝
【図１】
0004539459.tif 000002
【図２】
0004539459.tif 000003
【図３】
0004539459.tif 000004
【図４】
0004539459.tif 000005
【図５】
0004539459.tif 000006
【図６】
0004539459.tif 000007
【図７】
0004539459.tif 000008
【図８】
0004539459.tif 000009
【図９】
0004539459.tif 000010
【図１０】
0004539459.tif 000011
【図１１】
0004539459.tif 000012